(57)【特許請求の範囲】
【請求項１】
コンテンツデータとともに制御信号も通信する複数のインタフェースを備え、前記インタフェースを介して供給装置から供給された前記コンテンツデータの映像を表示する表示装置において、
複数の前記供給装置から供給された複数のコンテンツデータの映像を、表示画面を複数に分割した各領域に同時に表示させる表示制御手段と、
前記表示制御手段によって、表示画面を複数に分割した各領域に、複数の前記供給装置から供給された複数のコンテンツデータの映像が同時に表示されていることを検知した場合、前記コンテンツデータのビデオデータに対する制御用表示の重畳を中止させるコマンドを複数の前記供給装置に通知する通知手段と
を含むことを特徴とする表示装置。
【請求項２】
コンテンツデータとともに制御信号も通信する複数のインタフェースを備え、前記インタフェースを介して供給装置から供給された前記コンテンツデータの映像を表示する表示装置の表示方法において、
複数の前記供給装置から供給された複数のコンテンツデータの映像を、表示画面を複数に分割した各領域に同時に表示させ、
表示画面を複数に分割した各領域に、複数の前記供給装置から供給された複数のコンテンツデータの映像が同時に表示されていることを検知した場合、前記コンテンツデータのビデオデータに対する制御用表示の重畳を中止させるコマンドを複数の前記供給装置に通知する
ステップを含むことを特徴とする表示方法。
【請求項３】
コンテンツデータとともに制御信号も通信する複数のインタフェースを備え、前記インタフェースを介して供給装置から供給された前記コンテンツデータの映像を表示する表示装置の制御用のプログラムであって、
複数の前記供給装置から供給された複数のコンテンツデータの映像を、表示画面を複数に分割した各領域に同時に表示させ、
表示画面を複数に分割した各領域に、複数の前記供給装置から供給された複数のコンテンツデータの映像が同時に表示されていることを検知した場合、前記コンテンツデータのビデオデータに対する制御用表示の重畳を中止させるコマンドを複数の前記供給装置に通知する
ステップを含む処理を表示装置のコンピュータに実行させることを特徴とするプログラム。
【請求項４】
コンテンツデータとともに制御信号も通信する複数のインタフェースを備え、前記インタフェースを介して表示装置にコンテンツデータを供給する供給装置において、
前記表示装置に供給するためのコンテンツデータを発生する発生手段と、
前記コンテンツデータのビデオデータに制御用表示を重畳させる重畳手段と、
前記表示装置からの、表示画面を複数に分割した各領域に、複数の供給装置から供給された複数のコンテンツデータの映像が同時に表示されていることに対応する通知に基づき、前記重畳手段を制御して、前記コンテンツデータのビデオデータに対する前記制御用表示の重畳を中止させる制御手段と
を含むことを特徴とする供給装置。
【請求項５】
前記制御手段は、前記表示装置に対して表示状態を通知するように要求し、前記表示装置からの、表示画面を複数に分割した各領域に、複数の供給装置から供給された複数のコンテンツデータの映像が同時に表示されていることに対応する通知に基づき、前記重畳手段を制御して、前記コンテンツデータのビデオデータに対する前記制御用表示の重畳を中止させる
を含むことを特徴とする請求項４に記載の供給装置。
【請求項６】
コンテンツデータとともに制御信号も通信する複数のインタフェースを備え、前記インタフェースを介して表示装置にコンテンツデータを供給する供給装置の供給方法において、
前記表示装置に供給するためのコンテンツデータを発生し、
前記コンテンツデータのビデオデータに制御用表示を重畳させ、
前記表示装置からの、表示画面を複数に分割した各領域に、複数の供給装置から供給された複数のコンテンツデータの映像が同時に表示されていることに対応する通知に基づき、前記コンテンツデータのビデオデータに対する前記制御用表示の重畳を中止させる
ステップを含むことを特徴とする供給方法。
【請求項７】
コンテンツデータとともに制御信号も通信する複数のインタフェースを備え、前記インタフェースを介して表示装置にコンテンツデータを供給する供給装置の制御用のプログラムであって、
前記表示装置に供給するためのコンテンツデータを発生し、
前記コンテンツデータのビデオデータに制御用表示を重畳させ、
前記表示装置からの、表示画面を複数に分割した各領域に、複数の供給装置から供給された複数のコンテンツデータの映像が同時に表示されていることに対応する通知に基づき、前記コンテンツデータのビデオデータに対する前記制御用表示の重畳を中止させる
ステップを含む処理を表示装置のコンピュータに実行させることを特徴とするプログラム。
【請求項８】
コンテンツデータとともに制御信号も通信する複数のインタフェースを備え、前記インタフェースを介して供給された前記コンテンツデータの映像を表示する表示装置と、
前記インタフェースを備え、前記インタフェースを介して前記表示装置にコンテンツデータを供給する複数の供給装置とから構成される制御システムにおいて、
前記表示装置は、
複数の前記供給装置から供給された複数のコンテンツデータの映像を、表示画面を複数に分割した各領域に同時に表示させる表示制御手段と、
前記表示制御手段によって、表示画面を複数に分割した各領域に、複数の前記供給装置から供給された複数のコンテンツデータの映像が同時に表示されていることを検知して複数の前記供給装置に通知する通知手段とを含み、
前記供給装置は、
前記表示装置に供給するためのコンテンツデータを発生する発生手段と、
前記コンテンツデータのビデオデータに制御用表示を重畳させる重畳手段と、
前記表示装置からの通知に基づき、前記重畳手段を制御して、前記コンテンツデータのビデオデータに対する前記制御用表示の重畳を中止させる制御手段とを含む
ことを特徴とする制御システム。
【発明の詳細な説明】
【技術分野】
【０００１】
本発明は、表示装置、表示方法、供給装置、供給方法、およびプログラム、並びに制御システムに関し、特に、例えばテレビジョン受像機などのディスプレイを備えた電子機器に、コンテンツデータとともにコマンドも通信するインタフェースを介して、コンテンツデータを供給する複数の電子装置を接続する場合に用いて好適な表示装置、表示方法、供給装置、供給方法、およびプログラム、並びに制御システムに関する。
【背景技術】
【０００２】
デジタルテレビジョン受像機、デジタルビデオカメラ、デジタルビデオレコーダ、デジタルプレーヤ、デジタルチューナ、家庭用ゲーム機などのいわゆるデジタル家庭電化製品を相互に接続するためのインタフェース規格として、HDMI(High-Definition Multimedia Interface)規格と称されるものが知られている（例えば、特許文献１参照）。以下、HDMI規格に準拠した端子を備える電子機器をHDMI機器と称する。
【０００３】
HDMI規格に準拠した端子およびHDMIケーブルには、ＡＶデータを伝送するためのラインの他、HDMIケーブルを介して接続されたHDMI機器間でコマンドやメッセージなどの制御信号を通信するためのCEC(Consumer Electronics Control)ラインが設けられている（例えば、特許文献２参照）。
【０００４】
このCECラインを用いて制御信号を通信することにより、HDMIケーブルを介して接続されたHDMI機器間で相互機器制御機能（以下、CEC機能と称する）が実現できるようになされているものがある。以下、HDMIのCECラインで通信される制御信号をCECプロトコルと称する。
【０００５】
このCEC機能とは、例えば、図１に示すように、ＡＶデータなどのコンテンツデータを供給する側のHDMI機器であるソース(Source)機器１（例えば、再生時のデジタルビデオレコーダなど）と、ソース機器１から供給されたコンテンツデータを出力する（映像を表示し、音声を出力する）側のHDMI機器であるシンク(Sink)機器２（例えば、テレビジョン受像機など）がHDMIケーブル３を介して接続されているシステムにおいて、ソース機器１がシンク機器２の動作を制御したり、シンク機器２がソース機器１の動作を制御したりする機能である。
【０００６】
具体的には、HDMI規格における”DeviceMenuControl”，”RemoteControlPassThrough”を用い、例えば図１の場合、ユーザはシンク機器４の画面に表示されたソース機器用メニュー表示１１（ソース機器１から供給されるビデオ信号に対応する表示）に対し、シンク機器用リモコン（リモートコントローラ）５を用いて操作入力を行うことにより、ソース機器１を制御することができる。すなわち、シンク機器用リモコン５から送信された操作信号はシンク機器４によって受信され、シンク機器４からHDMIケーブル３を介してソース機器１に対するコマンドが送信される。
【０００７】
なお当然ながら、ユーザはソース機器用リモートコントローラ２を用いてもソース機器１を制御することができる。同様に、ユーザはシンク機器用リモートコントローラ５を用いてシンク機器４を制御することができる。
【０００８】
【特許文献１】ＷＯ２００２／０７８３３６号公報
【特許文献２】特開２００４−２０８２９０号公報
【発明の開示】
【発明が解決しようとする課題】
【０００９】
ところで、シンク機器４としてテレビジョン受像機には、複数のHDMIを備えるとともに、画面を複数に分割し、分割された画面の各領域にそれぞれに異なる複数の入力元から映像を表示できるものが存在する。
【００１０】
このようなシンク機器４としてテレビジョン受像機において、図１を参照して上述したCEC機能を実現した場合、例えば、２台のソース機器１Ａおよび１Ｂが接続されるのであれば、図２に示すように、シンク機器４の２分割された画面に、HDMIを介して接続されているソース機器１Ａに対応するソース機器用Ａメニュー表示１１Ａと、HDMIを介して接続されているソース機器１Ｂに対応するソース機器用Ｂメニュー表示１１Ｂとが同時に表示されている状態となることが発生し得る。
【００１１】
このように、シンク機器４の画面に、複数のソース機器１にそれぞれ対応する複数のソース機器用メニュー表示１１が表示された状態になると、HDMI規格には、複数のソース機器１のうちのどれを優先させるかなどについて規定されていないので、ユーザがシンク機器用リモコン５を用いて操作入力を行った場合には、シンク機器４を制御できるのか、ソース機器１Ａを制御できるのか、またはソース機器１Ｂを制御できるのかを速やかに判断することができず、ユーザに対して操作上の混乱を与え、誤操作の要因となってしまう可能性がある。
【００１２】
本発明はこのような状況に鑑みてなされたものであり、シンク機器に複数のソース機器が接続された状態において、ユーザの操作上の混乱を抑止するとともに、誤操作を抑止するようにするものである。
【課題を解決するための手段】
【００１３】
本発明の第１の側面である表示装置は、コンテンツデータとともに制御信号も通信する複数のインタフェースを備え、前記インタフェースを介して供給装置から供給された前記コンテンツデータの映像を表示する表示装置において、複数の前記供給装置から供給された複数のコンテンツデータの映像を、表示画面を複数に分割した各領域に同時に表示させる表示制御手段と、前記表示制御手段によって、表示画面を複数に分割した各領域に、複数の前記供給装置から供給された複数のコンテンツデータの映像が同時に表示されていることを検知した場合、前記コンテンツデータのビデオデータに対する制御用表示の重畳を中止させるコマンドを複数の前記供給装置に通知する通知手段とを含むことを特徴とする。
【００１６】
本発明の第１の側面である表示方法は、コンテンツデータとともに制御信号も通信する複数のインタフェースを備え、前記インタフェースを介して供給装置から供給された前記コンテンツデータの映像を表示する表示装置の表示方法において、複数の前記供給装置から供給された複数のコンテンツデータの映像を、表示画面を複数に分割した各領域に同時に表示させ、表示画面を複数に分割した各領域に、複数の前記供給装置から供給された複数のコンテンツデータの映像が同時に表示されていることを検知した場合、前記コンテンツデータのビデオデータに対する制御用表示の重畳を中止させるコマンドを複数の前記供給装置に通知するステップを含むことを特徴とする。
【００１７】
本発明の第１の側面であるプログラムは、コンテンツデータとともに制御信号も通信する複数のインタフェースを備え、前記インタフェースを介して供給装置から供給された前記コンテンツデータの映像を表示する表示装置の制御用のプログラムであって、複数の前記供給装置から供給された複数のコンテンツデータの映像を、表示画面を複数に分割した各領域に同時に表示させ、表示画面を複数に分割した各領域に、複数の前記供給装置から供給された複数のコンテンツデータの映像が同時に表示されていることを検知した場合、前記コンテンツデータのビデオデータに対する制御用表示の重畳を中止させるコマンドを複数の前記供給装置に通知するステップを含む処理を表示装置のコンピュータに実行させることを特徴とする。
【００１８】
本発明の第１の側面においては、複数の供給装置から供給された複数のコンテンツデータの映像が、表示画面を複数に分割した各領域に同時に表示され、表示画面を複数に分割した各領域に、複数の供給装置から供給された複数のコンテンツデータの映像が同時に表示されていることが検知された場合、コンテンツデータのビデオデータに対する制御用表示の重畳を中止させるコマンドが複数の供給装置に通知される。
【００１９】
本発明の第２の側面である供給装置は、コンテンツデータとともに制御信号も通信する複数のインタフェースを備え、前記インタフェースを介して表示装置にコンテンツデータを供給する供給装置において、前記表示装置に供給するためのコンテンツデータを発生する発生手段と、前記コンテンツデータのビデオデータに制御用表示を重畳させる重畳手段と、前記表示装置からの、表示画面を複数に分割した各領域に、複数の供給装置から供給された複数のコンテンツデータの映像が同時に表示されていることに対応する通知に基づき、前記重畳手段を制御して、前記コンテンツデータのビデオデータに対する前記制御用表示の重畳を中止させる制御手段とを含むことを特徴とする。
【００２０】
前記制御手段は、前記表示装置に対して表示状態を通知するように要求し、前記表示装置からの、表示画面を複数に分割した各領域に、複数の供給装置から供給された複数のコンテンツデータの映像が同時に表示されていることに対応する通知に基づき、前記重畳手段を制御して、前記コンテンツデータのビデオデータに対する前記制御用表示の重畳を中止させるようにすることができる。
【００２１】
本発明の第２の側面である供給方法は、コンテンツデータとともに制御信号も通信する複数のインタフェースを備え、前記インタフェースを介して表示装置にコンテンツデータを供給する供給装置の供給方法において、前記表示装置に供給するためのコンテンツデータを発生し、前記コンテンツデータのビデオデータに制御用表示を重畳させ、前記表示装置からの、表示画面を複数に分割した各領域に、複数の供給装置から供給された複数のコンテンツデータの映像が同時に表示されていることに対応する通知に基づき、前記コンテンツデータのビデオデータに対する前記制御用表示の重畳を中止させるステップを含むことを特徴とする。
【００２２】
本発明の第２の側面であるプログラムは、コンテンツデータとともに制御信号も通信する複数のインタフェースを備え、前記インタフェースを介して表示装置にコンテンツデータを供給する供給装置の制御用のプログラムであって、前記表示装置に供給するためのコンテンツデータを発生し、前記コンテンツデータのビデオデータに制御用表示を重畳させ、前記表示装置からの、表示画面を複数に分割した各領域に、複数の供給装置から供給された複数のコンテンツデータの映像が同時に表示されていることに対応する通知に基づき、前記コンテンツデータのビデオデータに対する前記制御用表示の重畳を中止させるステップを含む処理を表示装置のコンピュータに実行させることを特徴とする。
【００２３】
本発明の第２の側面においては、表示装置に供給するためのコンテンツデータのビデオデータに制御用表示が重畳され、表示装置からの、表示画面を複数に分割した各領域に、複数の供給装置から供給された複数のコンテンツデータの映像が同時に表示されていることに対応する通知に基づき、コンテンツデータのビデオデータに対する制御用表示の重畳が中止される。
【００２４】
本発明の第３の側面である制御システムは、コンテンツデータとともに制御信号も通信する複数のインタフェースを備え、前記インタフェースを介して供給された前記コンテンツデータの映像を表示する表示装置と、前記インタフェースを備え、前記インタフェースを介して前記表示装置にコンテンツデータを供給する複数の供給装置とから構成される制御システムにおいて、前記表示装置が、複数の前記供給装置から供給された複数のコンテンツデータの映像を、表示画面を複数に分割した各領域に同時に表示させる表示制御手段と、前記表示制御手段によって、表示画面を複数に分割した各領域に、複数の前記供給装置から供給された複数のコンテンツデータの映像が同時に表示されていることを検知して複数の前記供給装置に通知する通知手段とを含み、前記供給装置が、前記表示装置に供給するためのコンテンツデータを発生する発生手段と、前記コンテンツデータのビデオデータに制御用表示を重畳させる重畳手段と、前記表示装置からの通知に基づき、前記重畳手段を制御して、前記コンテンツデータのビデオデータに対する前記制御用表示の重畳を中止させる制御手段とを含むことを特徴とする。
【００２５】
本発明の第３の側面においては、表示装置により、表示画面を複数に分割した各領域に、複数の供給装置から供給された複数のコンテンツデータの映像が同時に表示されていることが検知されて複数の供給装置に通知される。また、供給装置により、表示装置に供給するためのコンテンツデータのビデオデータに制御用表示が重畳され、表示装置からの、表示画面を複数に分割した各領域に、複数の供給装置から供給された複数のコンテンツデータの映像が同時に表示されていることに対応する通知に基づき、コンテンツデータのビデオデータに対する制御用表示の重畳が中止される。
【発明の効果】
【００２６】
本発明の一側面によれば、シンク機器に複数のソース機器が接続された状態において、ユーザの操作上の混乱を抑止するとともに、誤操作を抑止することができる。
【発明を実施するための最良の形態】
【００２７】
以下、本発明を適用した具体的な実施の形態について、図面を参照しながら詳細に説明する。
【００２８】
図３は、本発明の一実施の形態である複数のソース機器２０およびシンク機器３０から成る電子装置制御システムの構成例を示している。
【００２９】
ソース機器２０としては、例えば、デジタルビデオカメラ、デジタルプレーヤ、再生機器としてのデジタルビデオレコーダなどを挙げることができる。シンク機器３０は、ディスプレイを備えるテレビジョン受像機などを想定する。
【００３０】
この電子装置制御システムは、シンク機器３０の画面が２分割され、分割された一方の領域にソース機器２０Ａの映像が表示され、他方の領域にソース機器２０Ａの映像が表示されているとき、図２に示されたような表示状態、すなわち、画面上に複数のソース機器用メニュー表示が表示された状態となってユーザに対して操作上の混乱を与え、誤操作の要因となってしまうことがないように、シンク機器４０の画面上に複数のソース機器用メニュー表示が表示されないようにする。
【００３１】
この電子装置制御システムにおいては、２台のソース機器２０Ａおよび２０Ｂが、それぞれHDMIケーブル３Ａまたは３Ｂを介してシンク機器３０に接続されている。以下、ソース機器２０Ａおよび２０Ｂを個々に区別する必要がない場合、単にソース機器２０と称する。HDMI３および３Ｂなどについても同様とする。
【００３２】
ソース機器２０は、シンク機器３０に供給すべきＡＶデータを発生するＡＶデータ発生部２１、発生されたＡＶデータのビデオデータにソース機器２０用メニュー表示を重畳するメニュー表示重畳部２２、および、発生されたＡＶデータをHDMIケーブル３を介してシンク機器３０に供給するHDMI部２３から構成される。
【００３３】
ＡＶデータ発生部２１は、例えばソース機器２０がデジタルビデオレコーダである場合、記録メディアからＡＶデータを再生する部位などに相当する。
【００３４】
メニュー表示重畳部２２は、HDMI部２３からの制御に応じ、ＡＶデータ発生部２１によって発生されるＡＶデータのビデオデータにソース機器２０用のメニュー表示を重畳したり、この重畳を中止したりして、ＡＶデータを後段のHDMI部２３に出力する。
【００３５】
HDMI部２３は、シンク機器３０のHDMI部３１にＡＶデータを送信するとともに、ソース機器２０とシンク機器３０とのCEC機能を実現するためのコマンドを通信する。
【００３６】
シンク機器３０は、HDMIケーブル３Ａを介してソース機器２０Ａと接続するHDMI部３１Ａ、HDMIケーブル３Ｂを介してソース機器２０Ｂと接続するHDMI部３１Ｂ、HDMI部３１Ａおよび３１Ｂから供給されるＡＶデータを選択して表示制御部３３に出力する入力選択部３２、入力選択部３２から出力されたＡＶデータに対応する映像をディスプレイ（不図示）に表示させる表示制御部３３、ユーザからの操作入力に応じて操作信号を送信するシンク機器用リモコン３４、送信された操作信号に対応する制御信号を制御部３６に通知する操作入力部３５、操作入力部３５からの制御信号に応じて入力選択部３２を制御する制御部３６から構成される。
【００３７】
入力選択部３２は、操作入力部３５からの制御信号に基づく制御部３６の制御に従い、HDMI部３１Ａから供給されるＡＶデータ、またはHDMI部３１Ｂから供給されるＡＶデータの一方、あるいは両方を表示制御部３３に出力する。すなわち、ユーザがシンク機器３０の入力として、HDMI部３１Ａに接続されているソース機器２０Ａを選択した場合には、HDMI部３１Ａから供給されるＡＶデータが表示制御部３３に出力される。反対に、ユーザがシンク機器３０の入力として、HDMI部３１Ｂに接続されているソース機器２０Ｂを選択した場合には、HDMI部３１Ｂから供給されるＡＶデータが表示制御部３３に出力される。
【００３８】
また、ユーザが２画面表示を選択した場合には、HDMI部３１Ａから供給されるＡＶデータとHDMI部３１Ｂから供給されるＡＶデータの両方が表示制御部３３に出力される。この場合、表示制御部３３は、画面を２分割して、分割した一方の領域にHDMI部３１Ａから供給されるＡＶデータの映像を表示させ、他方の領域にHDMI部３１Ｂから供給されるＡＶデータの映像を表示させる。
【００３９】
ところで、ソース機器２０のHDMI部２３とシンク機器３０のHDMI部３１との間で通信されるコマンドには、HDMI機器の製造メーカ間で規格化された共通のものと、製造メーカ独自のものがある。
【００４０】
本願発明を適用したソース機器２０のHDMI部２３と、本願発明を適用したシンク機器３０のHDMI部３１との間は、製造メーカ独自のコマンドまたはメッセージとして、以下に説明する表示状態確認要求、表示状態確認通知、表示状態変更通知要求、表示状態変更通知、およびメニュー表示重畳中止要求を通信する。
【００４１】
表示状態確認要求は、ソース機器２０からシンク機器３０に対して、ディスプレイの表示状態が１画面表示（非分割表示）状態であるか、または分割表示状態であるかを確認して通知するように要求するためのコマンドである。
【００４２】
表示状態確認通知は、ソース機器２０からの表示状態確認要求に応じてシンク機器３０がソース機器２０に対して、ディスプレイの表示状態が１画面表示（非分割表示）状態であるか、または分割表示状態であるかを通知するためのメッセージである。
【００４３】
表示状態変更通知要求は、ソース機器２０からシンク機器３０に対して、ディスプレイの表示状態が１画面表示（非分割表示）状態から分割表示状態に変化したときに、それを通知するように要求するためのコマンドである。
【００４４】
表示状態変更通知は、シンク機器３０がソース機器２０に対して、ディスプレイの表示状態が１画面表示（非分割表示）状態から分割表示状態に変化したときに、それを通知するためのメッセージである。
【００４５】
メニュー表示重畳中止要求は、シンク機器３０がソース機器２０に対して、ＡＶデータのビデオデータに対するメニュー表示の重畳を中止するように要求するためのコマンドである。
【００４６】
本願発明の目的である、ユーザに対して操作上の混乱を与え、誤操作の要因となってしまうことがないようにするため、シンク機器４０の画面上に複数のソース機器用メニュー表示が表示されないようにするには、上述した５つのコマンドまたはメッセージを適宜組み合わせた処理を行うことによって実現される。
【００４７】
以下、４種類の当該処理（以下、第１乃至第４の処理と称する）について説明する。
【００４８】
初めに、第１の処理について、図４のタイミングチャートを参照して説明する。この第１の処理は、複数のソース機器２０がそれぞれシンク機器３０に対して主導的に行うものであり、ユーザからの所定の操作に応じてソース機器２０が自身のメニュー表示を開始したときに開始される。
【００４９】
ステップＳ１において、ソース機器２０のHDMI部２３は、HDMIケーブル３を介してシンク機器３０のHDMI部３１に、表示状態確認要求を送信する。この表示状態確認要求に応じ、シンク機器３０のHDMI部３１は、ステップＳ１１において、入力選択部３２に対して表示状態を確認し、具体的には、ディスプレイの表示状態が１画面表示（非分割表示）状態であるか、または分割表示状態であるかを確認し、ディスプレイの表示状態が１画面表示（非分割表示）状態であるか、または分割表示状態であるかを示す表示状態確認通知を、HDMIケーブル３を介してソース機器２０のHDMI部２３に送信する。
【００５０】
この表示状態確認通知に応じ、ソース機器２０のHDMI部２３は、ステップＳ２において、シンク機器３０のディスプレイの表示状態が１画面表示（非分割表示）状態であるか、または分割表示状態であるか判断し、分割表示状態であると判断した場合、処理をステップＳ３に進める。ステップＳ３において、メニュー表示重畳部２２は、HDMI部２３からの制御に従い、ＡＶデータ発生部２１からのＡＶデータのビデオデータに対するソース機器２０用のメニュー表示の重畳を中止する。以上で、第１の処理は終了される。
【００５１】
反対に、ステップＳ２において、シンク機器３０のディスプレイの表示状態が１画面表示（非分割表示）状態であると判断された場合、ステップＳ１に戻されて、ステップＳ１以降の処理が繰り返される。
【００５２】
以上説明した第１の処理によれば、シンク機器３０のディスプレイが分割表示の状態になると、各ソース機器２０はメニュー表示の重畳を中止する。したがって、画面上に複数のソース機器用メニュー表示が表示された状態となることによる、ユーザに対して操作上の混乱を与え、誤操作の要因となってしまうことが抑止される。
【００５３】
次に、第２の処理について、図５のタイミングチャートを参照して説明する。この第２の処理は、複数のソース機器２０がそれぞれシンク機器３０に対して主導的に行うものであり、ユーザからの所定の操作に応じてソース機器２０が自身のメニュー表示を開始したときに開始される。
【００５４】
ステップＳ２１において、ソース機器２０のHDMI部２３は、HDMIケーブル３を介してシンク機器３０のHDMI部３１に、表示状態変更通知要求を送信する。この表示状態変更通知要求に応じ、シンク機器３０のHDMI部３１は、ステップＳ３１において、入力選択部３２に対して表示状態を確認し、具体的には、ディスプレイの表示状態が１画面表示（非分割表示）状態であるか、または分割表示状態であるかを確認し、表示状態に変更が生じるまで待機する。そして、表示状態に変更が生じた場合、具体的には、ディスプレイの表示状態が１画面表示（非分割表示）状態から分割表示状態に変更された場合、処理をステップＳ３２に進め、ディスプレイの表示状態に変更が生じたことを示す表示状態変更通知を、HDMIケーブル３を介してソース機器２０のHDMI部２３に送信する。
【００５５】
一方、ソース機器２０のHDMI部２３は、ステップＳ２１の処理で表示状態変更通知要求を送信した後、ステップＳ２２において、シンク機器３０の表示状態が変更されるまで待機する（実際にはシンク機器３０のHDMI部３１から送信された表示状態変更通知を受信するまで待機する）。そして、シンク機器３０のHDMI部３１から送信された表示状態変更通知を受信した場合、処理をステップＳ２３に進める。
【００５６】
ステップＳ２３において、メニュー表示重畳部２２は、HDMI部２３からの制御に従い、ＡＶデータ発生部２１からのＡＶデータのビデオデータに対するソース機器２０用のメニュー表示の重畳を中止する。以上で、第２の処理は終了される。
【００５７】
以上説明した第２の処理によれば、シンク機器３０のディスプレイが分割表示の状態になると、各ソース機器２０はメニュー表示の重畳を中止する。したがって、画面上に複数のソース機器用メニュー表示が表示された状態となることによる、ユーザに対して操作上の混乱を与え、誤操作の要因となってしまうことが抑止される。
【００５８】
次に、第３の処理について、図６のタイミングチャートを参照して説明する。この第３の処理は、シンク機器３０のHDMI部３１Ａおよび３１Ｂがそれぞれに接続されているソース機器２０に対して主導的に行うものであり、HDMI部３１を介するソース機器２０からのＡＶデータを入力としたときに開始される。
【００５９】
ステップＳ５１において、シンク機器３０のHDMI部３１は、入力選択部３２に対して表示状態を確認し、具体的には、ディスプレイの表示状態が１画面表示（非分割表示）状態であるか、または分割表示状態であるかを確認し、表示状態に変更が生じるまで待機する。そして、表示状態に変更が生じた場合、具体的には、ディスプレイの表示状態が１画面表示（非分割表示）状態から分割表示状態に変更された場合、処理をステップＳ５２に進め、ディスプレイの表示状態が変更されたことを示す表示状態変更通知を、HDMIケーブル３を介してソース機器２０のHDMI部２３に送信する。
【００６０】
一方、各ソース機器２０のHDMI部２３は、ステップＳ４１において、シンク機器３０の表示状態が変更されるまで待機する（実際にはシンク機器３０のHDMI部３１から送信された表示状態変更通知を受信するまで待機する）。そして、シンク機器３０のHDMI部３１から送信された表示状態変更通知を受信した場合、処理をステップＳ４２に進める。
【００６１】
ステップＳ４２において、メニュー表示重畳部２２は、HDMI部２３からの制御に従い、ＡＶデータ発生部２１からのＡＶデータのビデオデータにソース機器２０用のメニュー表示を重畳している場合にはその重畳を中止する。以上で、第３の処理は終了される。
【００６２】
以上説明した第３の処理によれば、シンク機器３０のディスプレイが分割表示の状態になると、各ソース機器２０はメニュー表示の重畳を中止する。したがって、画面上に複数のソース機器用メニュー表示が表示された状態となることによる、ユーザに対して操作上の混乱を与え、誤操作の要因となってしまうことが抑止される。
【００６３】
次に、第４の処理について、図７のタイミングチャートを参照して説明する。この第４の処理は、シンク機器３０のHDMI部３１Ａおよび３１Ｂがそれぞれに接続されているソース機器２０に対して主導的に行うものであり、HDMI部３１を介するソース機器２０からのＡＶデータを入力としたときに開始される。
【００６４】
ステップＳ７１において、シンク機器３０のHDMI部３１は、入力選択部３２に対して表示状態を確認し、具体的には、ディスプレイの表示状態が１画面表示（非分割表示）状態であるか、または分割表示状態であるかを確認し、表示状態に変更が生じるまで待機する。そして、表示状態に変更が生じた場合、具体的には、ディスプレイの表示状態が１画面表示（非分割表示）状態から分割表示状態に変更された場合、処理をステップＳ７２に進め、メニュー表示重畳中止要求を、HDMIケーブル３を介してソース機器２０のHDMI部２３に送信する。
【００６５】
一方、各ソース機器２０のHDMI部２３は、ステップＳ６１において、シンク機器３０のHDMI部３１から送信されたメニュー表示重畳中止要求を受信するまで待機する。そして、シンク機器３０のHDMI部３１から送信されたメニュー表示重畳中止要求を受信した場合、処理をステップＳ６２に進める。
【００６６】
ステップＳ６２において、メニュー表示重畳部２２は、HDMI部２３からの制御に従い、ＡＶデータ発生部２１からのＡＶデータのビデオデータにソース機器２０用のメニュー表示を重畳している場合にはその重畳を中止する。以上で、第４の処理は終了される。
【００６７】
以上説明した第４の処理によれば、シンク機器３０のディスプレイが分割表示の状態になると、各ソース機器２０はメニュー表示の重畳を中止する。したがって、画面上に複数のソース機器用メニュー表示が表示された状態となることによる、ユーザに対して操作上の混乱を与え、誤操作の要因となってしまうことが抑止される。
【００６８】
以上に説明したように、第１乃至第４の処理のいずれかを実行することにより、シンク機器３０のディスプレイが分割表示の状態になると、各ソース機器２０はメニュー表示の重畳を中止する。したがって、画面上に複数のソース機器用メニュー表示が表示された状態となることによる、ユーザに対して操作上の混乱を与え、誤操作の要因となってしまうことが抑止される。
【００６９】
なお、上述した第１乃至第４の処理によれば、シンク機器３０のディスプレイの分割された全ての領域からソース機器用メニュー表示の重畳が消えることになるが、例えば、ユーザが指定した分割領域、あるいはユーザが指定したソース機器に対応するソース機器用メニュー表示を残し、その他の分割領域、あるいはソース機器に対応するソース機器用メニュー表示を消すようにしてもよい。また、ソース機器用メニュー表示を消す代わりに、例えば、重畳表示の輝度や彩度などを下げてグレーアウトするようにしてもよい。
【００７０】
なお、本実施の形態においては、ソース機器２０の数、およびシンク機器３０のHDMI部の数を２としたが、これに限定されるものではなく２以上であってもよい。また、シンク機器３０の画面の分割数も２以上であってもよい。また、画面を分割したときに限らず、例えば、ピクチャインピクチャのように、画面上に複数のソース機器２０の映像が表示される場合に適用できる。
【００７１】
また、本発明は、ＡＶデータのビデオデータに、メニュー表示以外の制御用の表示を重畳する場合にも適用することができる。
【００７２】
本発明は、HDMIを備えたあらゆる電子機器に適用することが可能であるだけでなく、ＡＶデータなどとともにコマンドやメッセージも通信することができるインタフェースを備えた電子機器に適用することが可能である。
【００７３】
ところで、上述した一連の処理は、ハードウェアにより実行することもできるし、ソフトウェアにより実行することもできる。
【００７４】
本明細書において、システムとは、複数の装置により構成される装置全体を表すものである。
【００７５】
なお、本発明の実施の形態は、上述した実施の形態に限定されるものではなく、本発明の要旨を逸脱しない範囲において種々の変更が可能である。
【図面の簡単な説明】
【００７６】
【図１】ソース機器とシンク機器の接続関係を示すブロック図である。
【図２】複数のソース機器が接続されたシンク機器の表示例を示す図である。
【図３】本発明を適用したソース機器とシンク機器からなる制御システムの構成例を示すブロック図である。
【図４】第１の処理を説明するタイミングチャートである。
【図５】第２の処理を説明するタイミングチャートである。
【図６】第３の処理を説明するタイミングチャートである。
【図７】第４の処理を説明するタイミングチャートである。
【符号の説明】
【００７７】
３  HDMIケーブル，  ２０  ソース機器，  ２１  ＡＶデータ発生部，  ２２  メニュー表示重畳部，  ２３  HDMI部，  ３０  シンク機器，  ３１  HDMI部，  ３２  入力選択部，  ３３  表示制御部，  ３４  シンク機器用リモコン，  ３５  操作入力部，  ３６  制御部
【図１】
0005105171.tif 000002
【図２】
0005105171.tif 000003
【図３】
0005105171.tif 000004
【図４】
0005105171.tif 000005
【図５】
0005105171.tif 000006
【図６】
0005105171.tif 000007
【図７】
0005105171.tif 000008